(57)【要約】【課題】  構造が簡単で、部品点数が少なく製作し易い水抜構造の提供。【解決手段】  ハウジング４の最下位置に立ち上げ壁面６と底面７とからなる凹陥部８を設ける。そして凹陥部８とリング部材５との間に小室10を設け、凹陥部８の立ち上げ壁面６の付根に水排出孔９を設け、凹陥部８の中央部に対向した位置で、リング部材５に水抜孔11を設ける。【選択図】        図１
2008131791.tif 000002
【特許請求の範囲】
【請求項１】
内部にロータ(1) およびステータ(2) が収納され、開口が端蓋(3) で閉塞される有底円筒状のハウジング(4) と、
そのハウジング(4) の外周に整合し、その外周にリング状に被嵌されて、モータ取付部を構成するリング部材(5) と、を有するファンモータの水抜構造において、
前記リング部材(5) に対向した位置で前記ハウジング(4) の最下位置に、その内面側へ立ち上げ壁面(6) および底面(7) を有する凹陥部(8) が設けられ、その立ち上げ壁面(6) の付根またはその近傍に水排出孔(9) が設けられ、
前記凹陥部(8) と前記リング部材(5) との間に小室(10)が形成されると共に、前記底面(7) の中心部に対向してそのリング部材(5) に水抜孔(11)が形成されたことを特徴とするファンモータの水抜構造。
【請求項２】
請求項１において、
前記凹陥部(8) が前記ステータ(2) の高さ以下の高さを有する台形状に形成され、前記ハウジング(4) の軸線方向における凹陥部(8) の両側に位置する前記立ち上げ壁面(6) の付根に少なくとも一対の前記水排出孔(9) が設けられたことを特徴とするファンモータの水抜構造。
【請求項３】
請求項２において、
前記底面(7) の中央部の外面側に、そのハウジング(4) の周方向に沿う断面が弧状に突出する水拡散部(12)が設けられたことを特徴とするファンモータの水抜構造。
【請求項４】
請求項１〜請求項３のいずれかにおいて、
前記ステータ(2) が一対の円弧状の磁石(2a)からなり、夫々の磁石(2a)の下端縁が前記凹陥部(8) の前記立ち上げ壁面(6) に位置決めされたことを特徴とするファンモータの水抜構造。
【発明の詳細な説明】
【技術分野】
【０００１】
本発明は、各種車両の電動ファンモータの水抜構造に関するものである。
【背景技術】
【０００２】
車両のラジエータやコンデンサ等は、停止状態において或いは低走行状態において電動ファンモータにより冷却される。このファンモータは、タイヤのはね水や巻上げ水による被水から保護する必要がある。また、モータ内部に水が進入した場合には、水を外部に迅速に排出する必要がある。
このようなファンモータの水抜構造として、特許文献１に記載のものが提案されている。このファンモータは、ステータとしての永久磁石によってハンジングの下端部を軸方向に二分し、ハンジングの最下部の前方位置に第１の水抜孔を形成すると共に、ハンジングの端蓋近傍に下方に向けて第２の水抜孔を設ける。そして、その第２の水抜孔に迷路状のカバーを嵌着したものである。
【０００３】
【特許文献１】特許第３１６８１７７号公報
【特許文献２】実公平７−２４９２３号公報
【発明の開示】
【発明が解決しようとする課題】
【０００４】
上記の水抜構造は、ハンジングの軸方向の前端部および後端部に夫々水抜のための加工が必要であると共に、後端部には別個のカバー部材を取付ける必要があった。このカバー部材は、エンジンおよびモータの発熱に対処する必要上、耐熱性の高い材料を使用するため、コスト高になるおそれがあった。
また、そのカバー部材が破損・脱落した場合、ケーシング内部に水が進入し、絶縁劣化や腐食等が進行してファンモータの耐久性を低下するおそれがあった。
さらには、水抜き孔を覆う別個の部品を必要とするため、材料コストを引き上げると共にその組立工数が増大し、結果としてファンモータの価格を引き上げるという問題点があった。
そこで本発明は、かかる問題点を解決することを課題とする。
【課題を解決するための手段】
【０００５】
請求項１に記載の本発明は、内部にロータ(1) およびステータ(2) が収納され、開口が端蓋(3) で閉塞される有底円筒状のハウジング(4) と、
そのハウジング(4) の外周に整合し、その外周にリング状に被嵌されて、モータ取付部を構成するリング部材(5) と、を有するファンモータの水抜構造において、
前記リング部材(5) に対向した位置で前記ハウジング(4) の最下位置に、その内面側へ立ち上げ壁面(6) および底面(7) を有する凹陥部(8) が設けられ、その立ち上げ壁面(6) の付根またはその近傍に水排出孔(9) が設けられ、
前記凹陥部(8) と前記リング部材(5) との間に小室(10)が形成されると共に、前記底面(7) の中心部に対向してそのリング部材(5) に水抜孔(11)が形成されたことを特徴とするファンモータの水抜構造である。
【０００６】
請求項２に記載の本発明は、請求項１において、
前記凹陥部(8) が前記ステータ(2) の高さ以下の高さを有する台形状に形成され、前記ハウジング(4) の軸線方向における凹陥部(8) の両側に位置する前記立ち上げ壁面(6) の付根に少なくとも一対の前記水排出孔(9) が設けられたことを特徴とするファンモータの水抜構造である。
請求項３に記載の本発明は、請求項２において、
前記底面(7) の中央部の外面側に、そのハウジング(4) の周方向に沿う断面が弧状に突出する水拡散部(12)が設けられたことを特徴とするファンモータの水抜構造である。
【０００７】
請求項４に記載の本発明は、請求項１〜請求項３のいずれかにおいて、
前記ステータ(2) が一対の円弧状の磁石(2a)からなり、夫々の磁石(2a)の下端縁が前記凹陥部(8) の前記立ち上げ壁面(6) に位置決めされたことを特徴とするファンモータの水抜構造である。
【発明の効果】
【０００８】
本発明のファンモータの水抜構造は、ハンジング４の最下部の内面側へ凹陥部８が設けられ、その立ち上げ壁面６の付根または近傍に水排出孔９が設けられ、凹陥部８とリング部材５との間に小室10が形成されると共に、その底面７の中心部に対向してリング部材５に水抜孔11が形成されたものである。
このように構成することにより、ハンジング４内に進入した水は凹陥部８の付根部の水排出孔９，小室10，リング部材５の水抜孔11を介して排出される。
また、リング部材５の水抜孔11から勢い良く進入する進入水17は、凹陥部８の底面７に衝突し勢いを弱められて小室10のリング部材５の上面から水抜孔11に排出される。他方、一部水排出孔９からハウジング内に進入した水は、その水排出孔９から再び小室10,水抜孔11を介し外部に排出される。しかもこの水抜構造は、従来のハンジング４およびリング部材５に僅かな加工を加えるのみでたり、他の部品を必要としないので、構造が簡単で故障し難い水抜構造を安価に提供できる。
【０００９】
上記構成において、凹陥部８を台形状に形成し、ハンジング４の軸線方向における凹陥部８の両側の付根に水排出孔９を設けたものにおいては、排水を迅速に行うことができると共に、車両が坂道等に位置しファンモータが傾斜しても、何れか一方の水排出孔９から排水することができる。
上記構成において、底面７の中央部の外面側に、ハンジング４の周方向に沿う断面が弧状に突出する水拡散部12を設けた場合には、水抜孔11からの進入する進入水17を水拡散部12によって周方向に分散し、軸方向両側に位置する水排出孔９側に水を移動させないようにして、分散した水を確実に水抜孔11から外部に流出させることができる。
【００１０】
上記何れかの構成において、ステータ２が一対の円弧状の磁石2aからなり、夫々の磁石2aの下端縁を凹陥部８の立ち上げ壁面６に位置決めした場合には、磁石2aの少なくとも下端部における位置決め部材を不要とし、構造が簡単で部品点数の少ないファンモータを提供できる。
【発明を実施するための最良の形態】
【００１１】
以下図面に基づき、本発明の実施の形態につき説明する。
図１は本発明の水抜構造を有するファンモータの一部破断正面図であり、図２はそのII−II矢視断面略図、図３は図１における水抜構造の拡大図である。また、図４はその凹陥部８をハンジング４内面側から見た斜視略図である。
このファンモータは、有底の円筒状に形成されたハンジング４とその一端開口を閉塞する端蓋３とを有する。ハンジング４内には、図２に示す如く一対の磁石2aからなるステータ２とロータ１とが内装されている。ロータ１にはその中心に図１に示す出力軸14が固定され、その両端部が端蓋３の軸受13およびハンジング４の底部に設けられた軸受13に支持され、出力軸14の一端が軸線方向に突出する。そしてこの出力軸14に図示しないファンが取付けられるものである。
【００１２】
ハンジング４の外周には、それに整合するリング状のリング部材５が被嵌され、両者間が溶接等の手段により一体的に固定されている。リング部材５の軸方向の一端縁には互いに１２０°離間してフランジ部16が軸線に対して直交する方向に突設されている。そのフランジ部16にはボルト孔が穿設され、それに挿通されるボルトおよびファンシュラウドのステーを介して、ファンモータがファンシュラウドの軸線上に一体に取付けられるものである。そのハンジング４には、その最下位置にその内面側へ凹陥部８が設けられている。
【００１３】
この凹陥部８は、図４に示す如く、横断面が台形に形成され、その周縁部が立ち上げ壁面６となる底面７を有する。そして底面７の周方向の中央部には、その外面側に断面弧状に突出する水拡散部12が設けられている。ハンジング４の軸方向（以下、単に軸方向という）の凹陥部８の幅は、ロータ１の積層鉄板の軸方向の幅に略等しい。それと共に、ステータ２の磁石2aの幅に略等しい。その軸方向の両立ち上げ部６の付根には一対の水排出孔９が穿設されている。
【００１４】
そして一対の磁石2aの夫々の下端縁は、凹陥部８の周方向の両立ち上げ壁面６に当設する。その両磁石2aの上端縁間の空間に、磁石ホルダ18が圧入される（図２）。それによって一対の磁石2aは、ハンジング４の内面に位置決め固定される。この磁石ホルダ18は、図５に示す如く一例としてＵ字状に形成され、Ｕ字の開口が拡縮できる方向に弾性変形可能な材料からなる。ハウジンク４の凹陥部８の外面側には、リング部材５が被嵌されている。そのリング部材５は、凹陥部８の底面７の中央に対向して水抜孔11が穿設されている。
【００１５】
（作用）
雨天において、車両のタイヤの撥ね水や巻上げ水により、ファンモータが被水されると、図３に示す如く進入水17が水抜孔11から噴水状に小室10内に進入する。するとこの進入水17は、凹陥部８の底面７に衝突しその水拡散部12によって周方向に分散され、勢いが弱められて小室10内のリング部材５の上面に落下し、大部分が水抜孔11から下方に落下する。また、その一部は水排出孔９からハンジング４の内部に進入するが、すぐにハンジング４の最下位置に戻り水排出孔９から小室10，水抜孔11を介して外部に排出される。
【００１６】
なお、水抜孔11から進入するときの進入水17は、凹陥部８の底面７の中央部に水拡散部12が形成されているため、図２および図４から明らかなように水拡散部12の外面に沿って周方向に移動し、その勢いを弱める。この進入水の軸方向への移動は少ないので、軸方向両側にある水排出孔９から、進入水が内部に入ることは少ない。
【図面の簡単な説明】
【００１７】
【図１】本発明の水抜構造を有するファンモータの一部破断正面図。
【図２】図１のII−II断面略図。
【図３】本発明の水抜構造の要部拡大図。
【図４】同水抜構造に設けられた凹陥部８の内面側における斜視図。
【図５】本発明のファンモータの一対のステータ２を位置決めする磁石ホルダ18の一例を示す斜視略図。
【符号の説明】
【００１８】
１  ロータ
２  ステータ
2a  磁石
３  端蓋
４  ハンジング
５  リング部材
６  立ち上げ壁面
７  底面
８  凹陥部
９  水排出孔
【００１９】
10  小室
11  水抜孔
12  水拡散部
13  軸受
14  出力軸
15  コイル
16  フランジ部
17  進入水
18  磁石ホルダ
【図１】
2008131791.tif 000003
【図２】
2008131791.tif 000004
【図３】
2008131791.tif 000005
【図４】
2008131791.tif 000006
【図５】
2008131791.tif 000007
【手続補正書】
【提出日】平成18年12月14日(2006.12.14)
【手続補正１】
【補正対象書類名】明細書
【補正対象項目名】全文
【補正方法】変更
【補正の内容】
【発明の詳細な説明】
【技術分野】
【０００１】
本発明は、各種車両の電動ファンモータの水抜構造に関するものである。
【背景技術】
【０００２】
車両のラジエータやコンデンサ等は、停止状態において或いは低走行状態において電動ファンモータにより冷却される。このファンモータは、タイヤのはね水や巻上げ水による被水から保護する必要がある。また、モータ内部に水が進入した場合には、水を外部に迅速に排出する必要がある。
このようなファンモータの水抜構造として、特許文献１に記載のものが提案されている。このファンモータは、ステータとしての永久磁石によってハウジングの下端部を軸方向に二分し、ハウジングの最下部の前方位置に第１の水抜孔を形成すると共に、ハウジングの端蓋近傍に下方に向けて第２の水抜孔を設ける。そして、その第２の水抜孔に迷路状のカバーを嵌着したものである。
【０００３】
【特許文献１】特許第３１６８１７７号公報
【特許文献２】実公平７−２４９２３号公報
【発明の開示】
【発明が解決しようとする課題】
【０００４】
上記の水抜構造は、ハウジングの軸方向の前端部および後端部に夫々水抜のための加工が必要であると共に、後端部には別個のカバー部材を取付ける必要があった。このカバー部材は、エンジンおよびモータの発熱に対処する必要上、耐熱性の高い材料を使用するため、コスト高になるおそれがあった。
また、そのカバー部材が破損・脱落した場合、ケーシング内部に水が進入し、絶縁劣化や腐食等が進行してファンモータの耐久性を低下するおそれがあった。
さらには、水抜き孔を覆う別個の部品を必要とするため、材料コストを引き上げると共にその組立工数が増大し、結果としてファンモータの価格を引き上げるという問題点があった。
そこで本発明は、かかる問題点を解決することを課題とする。
【課題を解決するための手段】
【０００５】
請求項１に記載の本発明は、内部にロータ(1) およびステータ(2) が収納され、開口が端蓋(3) で閉塞される有底円筒状のハウジング(4) と、
そのハウジング(4) の外周に整合し、その外周にリング状に被嵌されて、モータ取付部を構成するリング部材(5) と、を有するファンモータの水抜構造において、
前記リング部材(5) に対向した位置で前記ハウジング(4) の最下位置に、その内面側へ立ち上げ壁面(6) および底面(7) を有する凹陥部(8) が設けられ、その立ち上げ壁面(6) の付根またはその近傍に水排出孔(9) が設けられ、
前記凹陥部(8) と前記リング部材(5) との間に小室(10)が形成されると共に、前記底面(7) の中心部に対向してそのリング部材(5) に水抜孔(11)が形成されたことを特徴とするファンモータの水抜構造である。
【０００６】
請求項２に記載の本発明は、請求項１において、
前記凹陥部(8) が前記ステータ(2) の高さ以下の高さを有する台形状に形成され、前記ハウジング(4) の軸線方向における凹陥部(8) の両側に位置する前記立ち上げ壁面(6) の付根に少なくとも一対の前記水排出孔(9) が設けられたことを特徴とするファンモータの水抜構造である。
請求項３に記載の本発明は、請求項２において、
前記底面(7) の中央部の外面側に、そのハウジング(4) の周方向に沿う断面が弧状に突出する水拡散部(12)が設けられたことを特徴とするファンモータの水抜構造である。
【０００７】
請求項４に記載の本発明は、請求項１〜請求項３のいずれかにおいて、
前記ステータ(2) が一対の円弧状の磁石(2a)からなり、夫々の磁石(2a)の下端縁が前記凹陥部(8) の前記立ち上げ壁面(6) に位置決めされたことを特徴とするファンモータの水抜構造である。
【発明の効果】
【０００８】
本発明のファンモータの水抜構造は、ハウジング４の最下部の内面側へ凹陥部８が設けられ、その立ち上げ壁面６の付根または近傍に水排出孔９が設けられ、凹陥部８とリング部材５との間に小室10が形成されると共に、その底面７の中心部に対向してリング部材５に水抜孔11が形成されたものである。
このように構成することにより、ハウジング４内に進入した水は凹陥部８の付根部の水排出孔９，小室10，リング部材５の水抜孔11を介して排出される。
また、リング部材５の水抜孔11から勢い良く進入する進入水17は、凹陥部８の底面７に衝突し勢いを弱められて小室10のリング部材５の上面から水抜孔11に排出される。他方、一部水排出孔９からハウジング内に進入した水は、その水排出孔９から再び小室10,水抜孔11を介し外部に排出される。しかもこの水抜構造は、従来のハウジング４およびリング部材５に僅かな加工を加えるのみでたり、他の部品を必要としないので、構造が簡単で故障し難い水抜構造を安価に提供できる。
【０００９】
上記構成において、凹陥部８を台形状に形成し、ハウジング４の軸線方向における凹陥部８の両側の付根に水排出孔９を設けたものにおいては、排水を迅速に行うことができると共に、車両が坂道等に位置しファンモータが傾斜しても、何れか一方の水排出孔９から排水することができる。
上記構成において、底面７の中央部の外面側に、ハウジング４の周方向に沿う断面が弧状に突出する水拡散部12を設けた場合には、水抜孔11からの進入する進入水17を水拡散部12によって周方向に分散し、軸方向両側に位置する水排出孔９側に水を移動させないようにして、分散した水を確実に水抜孔11から外部に流出させることができる。
【００１０】
上記何れかの構成において、ステータ２が一対の円弧状の磁石2aからなり、夫々の磁石2aの下端縁を凹陥部８の立ち上げ壁面６に位置決めした場合には、磁石2aの少なくとも下端部における位置決め部材を不要とし、構造が簡単で部品点数の少ないファンモータを提供できる。
【発明を実施するための最良の形態】
【００１１】
以下図面に基づき、本発明の実施の形態につき説明する。
図１は本発明の水抜構造を有するファンモータの一部破断正面図であり、図２はそのII−II矢視断面略図、図３は図１における水抜構造の拡大図である。また、図４はその凹陥部８をハウジング４内面側から見た斜視略図である。
このファンモータは、有底の円筒状に形成されたハウジング４とその一端開口を閉塞する端蓋３とを有する。ハウジング４内には、図２に示す如く一対の磁石2aからなるステータ２とロータ１とが内装されている。ロータ１にはその中心に図１に示す出力軸14が固定され、その両端部が端蓋３の軸受13およびハウジング４の底部に設けられた軸受13に支持され、出力軸14の一端が軸線方向に突出する。そしてこの出力軸14に図示しないファンが取付けられるものである。
【００１２】
ハウジング４の外周には、それに整合するリング状のリング部材５が被嵌され、両者間が溶接等の手段により一体的に固定されている。リング部材５の軸方向の一端縁には互いに１２０°離間してフランジ部16が軸線に対して直交する方向に突設されている。そのフランジ部16にはボルト孔が穿設され、それに挿通されるボルトおよびファンシュラウドのステーを介して、ファンモータがファンシュラウドの軸線上に一体に取付けられるものである。そのハウジング４には、その最下位置にその内面側へ凹陥部８が設けられている。
【００１３】
この凹陥部８は、図４に示す如く、横断面が台形に形成され、その周縁部が立ち上げ壁面６となる底面７を有する。そして底面７の周方向の中央部には、その外面側に断面弧状に突出する水拡散部12が設けられている。ハウジング４の軸方向（以下、単に軸方向という）の凹陥部８の幅は、ロータ１の積層鉄板の軸方向の幅に略等しい。それと共に、ステータ２の磁石2aの幅に略等しい。その軸方向の両立ち上げ部６の付根には一対の水排出孔９が穿設されている。
【００１４】
そして一対の磁石2aの夫々の下端縁は、凹陥部８の周方向の両立ち上げ壁面６に当接する。その両磁石2aの上端縁間の空間に、磁石ホルダ18が圧入される（図２）。それによって一対の磁石2aは、ハウジング４の内面に位置決め固定される。この磁石ホルダ18は、図５に示す如く一例としてＵ字状に形成され、Ｕ字の開口が拡縮できる方向に弾性変形可能な材料からなる。ハウジンク４の凹陥部８の外面側には、リング部材５が被嵌されている。そのリング部材５は、凹陥部８の底面７の中央に対向して水抜孔11が穿設されている。
【００１５】
（作用）
雨天において、車両のタイヤの撥ね水や巻上げ水により、ファンモータが被水されると、図３に示す如く進入水17が水抜孔11から噴水状に小室10内に進入する。するとこの進入水17は、凹陥部８の底面７に衝突しその水拡散部12によって周方向に分散され、勢いが弱められて小室10内のリング部材５の上面に落下し、大部分が水抜孔11から下方に落下する。また、その一部は水排出孔９からハウジング４の内部に進入するが、すぐにハウジング４の最下位置に戻り水排出孔９から小室10，水抜孔11を介して外部に排出される。
【００１６】
なお、水抜孔11から進入するときの進入水17は、凹陥部８の立ち上げ壁面６中央部に水拡散部12が形成されているため、図２および図４から明らかなように水拡散部12の外面に沿って周方向に移動し、その勢いを弱める。この進入水の軸方向への移動は少ないので、軸方向両側にある水排出孔９から、進入水が内部に入ることは少ない。
【図面の簡単な説明】
【００１７】
【図１】本発明の水抜構造を有するファンモータの一部破断正面図。
【図２】図１のII−II断面略図。
【図３】本発明の水抜構造の要部拡大図。
【図４】同水抜構造に設けられた凹陥部８の内面側における斜視図。
【図５】本発明のファンモータの一対のステータ２を位置決めする磁石ホルダ18の一例を示す斜視略図。
【符号の説明】
【００１８】
１  ロータ
２  ステータ
2a  磁石
３  端蓋
４  ハウジング
５  リング部材
６  立ち上げ壁面
７  底面
８  凹陥部
９  水排出孔
【００１９】
10  小室
11  水抜孔
12  水拡散部
13  軸受
14  出力軸
15  コイル
16  フランジ部
17  進入水
18  磁石ホルダ